(57)【要約】【課題】標準電波の受信に関してエラーが発生したことをユーザーに確実に知らせることができる電波時計装置を提供する。【解決手段】標準電波の受信に際して、バッテリチェックがＮＧであると判定されたときや、標準電波の受信が正しく行われずＮＧと判定されたとき等は、カメラ内の警告手段によって、ブザー６によるスタート音の発生やＬＥＤ７による点灯などにおいてＮＧ（警告）が示される。【選択図】　図６
2004037206.tif 000002
【特許請求の範囲】
【請求項１】
基準クロックに基づいて時刻及び日付をカウントアップする時計手段と、
標準時刻に関する情報を有する標準電波を受信する受信手段と、
前記受信手段によって受信した前記標準電波のデータに基づいて前記時計手段による時刻及び日付を修正する時計修正手段と、
前記標準電波の受信が正常に行われないときに警告を行う警告手段とを備えることを特徴とする電波時計装置。
【請求項２】
基準クロックに基づいて時刻及び日付をカウントアップする時計手段と、
標準時刻に関する情報を有する標準電波を受信する受信手段と、
前記受信手段によって受信した前記標準電波のデータに基づいて前記時計手段による時刻及び日付を修正する時計修正手段と、
前記標準電波の受信を行うことができない場合に警告を行う警告手段とを備えることを特徴とする電波時計装置。
【請求項３】
前記警告手段による警告は、表示および音の少なくとも一方によって行われることを特徴とする請求項１または２記載の電波時計装置。
【請求項４】
前記警告手段は、前記表示および音により警告可能とし、前記標準電波の自動受信の際に警告する場合において、所定の時刻では表示のみによって警告することを特徴とする請求項３記載の電波時計装置。
【発明の詳細な説明】
【０００１】
【発明の属する技術分野】
本発明は、標準時刻に関する情報を有する標準電波を受信し、それに基づいて時刻及び日付を修正することができる電波時計装置に関する。
【０００２】
【従来の技術】
一般に、標準電波を受信し、そのデータに基づいて時刻や日付を修正する電波時計装置では、標準電波を正常に受信できた場合に、ＬＣＤ等に表示することで、ユーザーにその旨を知らせるようにしている。例えば、特開２００１−２０９１１１号公報には、標準電波の受信によって、内蔵された時計の修正を行うカメラが開示されており、標準電波を正常に受信できない場合には、内蔵された時計の修正を行わない旨の記載がされている。
【０００３】
【発明が解決しようとする課題】
しかしながら、上記したカメラ等の電波時計装置では、標準電波の受信に際して何らかのエラーが発生し、例えば標準電波の受信を行うことができなかった場合などに、ユーザーは受信が正常に行われなかったことを判別しにくいといった問題が生じる。
【０００４】
本発明の目的は、標準電波の受信に関してエラーが発生したことをユーザーに確実に知らせることができる電波時計装置を提供することである。
【０００５】
【課題を解決するための手段】
本発明の電波時計装置は、基準クロックに基づいて時刻及び日付をカウントアップする時計手段と、標準時刻に関する情報を有する標準電波を受信する受信手段と、受信手段によって受信した標準電波のデータに基づいて時計手段による時刻及び日付を修正する時計修正手段と、標準電波の受信が正常に行われないときに警告を行う警告手段とを備えることを特徴とするものである。
【０００６】
このような電波時計装置において、電波時計装置が標準電波の受信を行ったが正常に受信されず、データを正しく取得できなかった場合、警告手段によって警告が行われる。これにより、ユーザーは、標準電波の受信においてエラーが発生し、正常に受信されなかったことを確実に知ることができると共に、時刻や日付が修正されたか否かを毎回の受信について認識することができる。
【０００７】
本発明の電波時計装置は、基準クロックに基づいて時刻及び日付をカウントアップする時計手段と、標準時刻に関する情報を有する標準電波を受信する受信手段と、受信手段によって受信した標準電波のデータに基づいて時計手段による時刻及び日付を修正する時計修正手段と、標準電波の受信を行うことができない場合に警告を行う警告手段とを備えることを特徴とするものである。
【０００８】
このような電波時計装置において、電波時計装置にエラーが発生して受信を行うことができなかった場合、警告手段によって警告が行われる。これにより、ユーザーは、電波時計装置が標準電波の受信を行うことができなかったことを知ることができ、原因の解決を容易にすることができる。
【０００９】
好ましくは、警告手段による警告は、表示および音の少なくとも一方によって行われる。標準電波の受信に関する警告を、表示および音の２つの手段を用いて行うことで、エラーが発生したことをより確実にユーザーに知らせることができる。
【００１０】
また好ましくは、警告手段は、表示および音により警告可能とし、標準電波の自動受信の際に警告する場合において、所定の時刻では表示のみによって警告する。例えば、ユーザーが就寝している深夜などにおいて、自動により標準電波の受信が行われ、エラーが発生した場合であっても、表示のみの警告を行うことにより、ユーザーの睡眠を妨げるといった不都合を防止することができる。
【００１１】
【発明の実施の形態】
以下、添付図面に基づき、本発明における実施の形態について説明する。尚、各図において同一要素には同一符号を付して説明を省略する。
【００１２】
図１は、本発明の第１の実施形態に係る電波時計装置を適用したカメラの電気的構成を示すブロック図である。同図に示すように、本実施形態に係るカメラにはＣＰＵ１が設けられている。ＣＰＵ１は、カメラ全体の制御を行うものであり、制御・演算処理のためのプログラムを予め記憶しているＲＯＭ２及び制御・演算の際に各種データを記憶するＲＡＭ３を内蔵している。
【００１３】
更に、ＣＰＵ１には、電源回路４、ＬＣＤ５、ブザー（アラーム）６、ＬＥＤ群７、デート写し込み部８、リモコン受信回路９、ストロボ回路１０、測光回路１１、ＡＦ回路１２、標準電波受信回路１３、ＥＥＰＲＯＭ１４、スイッチ群１５、モータドライバ１６、鏡胴駆動部１７、フイルム給送部１８、シャッタ駆動部１９が接続されている。
【００１４】
電源回路４は、ＣＰＵ１に電力を供給するものであり、この電力供給によりＣＰＵ１を動作させる。ＬＣＤ５は、撮影モードなどを表すマークや、デート表示のための数字を表示し、また、標準電波の受信が正常に行われたか否かを示す表示を行うものである。ブザー６は、カメラの起動等を示す報知音を発したり、標準電波の受信が正常に行われたか否かについて、音によりその旨を報知したりするものである。このように、ＬＣＤ５およびブザー６は、標準電波が正常に受信できなかった場合、警告手段としても機能するものである。ストロボ回路１０は、ストロボ窓内に設けられた発光体を有し、ＣＰＵ１による制御の下、選択された撮影モード（ストロボ発光態様等に関するモード）に従って発光体をストロボ発光させる。測光回路１１は、測光センサなどにより構成されている。ＡＦ回路１２は、ＡＦ投光窓およびＡＦ受光窓それぞれの中に発光体および受光体それぞれを有し、これら発光体および受光体を用いた三角測距の原理により、ＣＰＵ１による指示により被写体までの距離を測定し、その測定結果をＣＰＵ１に送る。
【００１５】
標準電波受信回路１３（受信手段）は、カメラに備えられた受信アンテナ２０により標準電波を受信し、当該標準電波に含まれるデータをＣＰＵ１に送る。ＥＥＰＲＯＭ１４は、各時点におけるカメラの状態、各種の制御パラメータ等を記憶する。スイッチ群１５は、シャッタレリーズを行うシャッタボタン、撮影モードを設定するためのモードスイッチ、セルフタイマ撮影を設定するためのセルフタイマスイッチ、カメラの撮影可能状態、撮影不可能状態を切り替えるメインスイッチ、ズーミングを行うためのズームスイッチ（ＴＥＬＥスイッチ、ＷＩＤＥスイッチ）、フィルム装填及び取り出し時に裏蓋の開閉を検出する裏蓋開閉スイッチ、フィルムの途中巻戻しを指示するＭＲスイッチ、標準電波の受信開始を手動で行うための手動受信スイッチなどにより構成されている。
【００１６】
モータドライバ１６は、ＣＰＵ１からの制御信号を受けて鏡胴駆動部１７、フィルム給送部１８及びシャッタ駆動部１９に駆動信号を出力するものである。鏡胴駆動部１７は、レンズ鏡胴の繰り出し及び繰り込みの駆動を行うものであり、モータを備えている。このモータは、鏡胴を駆動するためのモータであり、モータドライバ１６の駆動信号を受けて駆動する。フィルム給送部１８は、ＣＰＵ１による指示に従い、装填されているフィルムパトローネのフィルムを順方向または逆方向に給送する。シャッタ駆動部１９は、シャッタ駆動を行うものであり、モータドライバ１６の駆動信号を受けて作動する。
【００１７】
次に標準電波のデータについて説明する。
【００１８】
図２は、正常時の標準電波を受信回路で受信したときの出力波形を示す図であり、ここでは「１９９８年、月曜日、１７時２５分、通算日１１４日（４月２４日）」の場合のデータを示している。同図において、標準電波は、分、時、通算日、年、曜日のデータを６０秒間で送るようになっており、最初の００秒から１０秒までの１０秒間が分データを表し、以下１０秒間ごとに、時データ、通算日データ、年データ、曜日データをそれぞれ表している。分データにおいて、最初のパルスは、分から曜日までのデータ全体の先頭を示すパルスである（図中、Ｍ）。その右隣の３つのパルスは、分の１０の位を表しており（図中、Ａ）、この場合は、「２」となっている。その右隣の１つは固定のパルスであり（図中、Ｎ）、その次の４つのパルスが、分の１の位を表している（図中、Ｂ）。この場合、分の１の位は「５」である。その右隣には、分のデータの最後を示すパルスＰ１が含まれており、次の時データとの境を示している。
【００１９】
次の時データは、１０の位を示すパルス群Ｃ、１の位を示すパルス群Ｄと、その次の通算日データの境を示すパルスＰ２とからなっている。以下同様に、通算日データ、年データ、曜日データが順に続いている。ここで、パルス群Ｅ〜Ｇは、通算日の１００の位〜１の位をそれぞれ示し、パルス群Ｈ，Ｉは、年の１０の位、１の位をそれぞれ示している。また、通算日データは、１月１日から通算した日数を表し、年データは、西暦の下２桁を表している。更に、標準電波のデータには、データの誤りを検出するためのパリティビット（図中、ＰＡ１，ＰＡ２）４１、将来の拡張性のための予備ビット（図中、ＳＵ１，ＳＵ２）４２、及び閏秒データ（図中、ＬＳ１，ＬＳ２）４３が含まれている。
【００２０】
図３は、図２における標準電波のデータのエラー発生時を示す図である。同図において、分データにエラーが発生しており、１の位を示すパルス群ＢのパルスＬが、本来「０」であるべきところが「１」となっているため、分が確定できなくなっている。
【００２１】
次に、本実施形態に係るカメラにおける各制御処理について詳述する。
【００２２】
まず、カメラの基本的な制御処理の概要について説明する。図４にカメラの基本的な制御処理の概略フローチャートを示す。同図のステップ（以下「Ｓ」と略す）１０に示すように、まず、電池装填により初期処理が行われる。初期処理は、いわゆるパワーオンリセットであり、ＣＰＵ１の初期設定、ポート初期設定、ＲＡＭ３の初期設定、ＥＥＰＲＯＭ１４の値のＲＡＭ３への展開などが行われる。次いで、Ｓ１２に移行し、時計処理（時計手段）が行われる。時計処理は、カメラ内の基準クロックに基づいて時刻および日付をカウントアップする処理である。
【００２３】
そして、Ｓ１４に移行し、分岐チェック処理及び分岐処理が行われる。分岐チェック処理及び分岐処理とは、スイッチ操作等により入力された信号を有効か否かを判断し、有効であるときに入力された信号に相当する処理へ分岐させる処理である。そして、Ｓ１６に移行し、各スイッチ処理が行われる。各スイッチ処理は、各スイッチ操作等に応じた動作を実際に行う処理である。
【００２４】
次いで、Ｓ１８に移行し、ストロボ充電処理が行われる。ストロボ充電処理は、バッテリの充電を行う処理である。そして、Ｓ２０に移行し、スタンバイ処理が行われる。スタンバイ処理は、各スイッチ処理などの後、スイッチ操作が無いときに行われる処理である。そして、Ｓ２０のスタンバイ処理の終了後、Ｓ１２に戻る。なお、時計処理は、スタンバイ処理の中でも行われる。
【００２５】
次に、初期処理について詳述する。
【００２６】
図５に本実施形態に係るカメラの初期処理のフローチャートを示す。初期処理は、電池装填時におけるＣＰＵ１などを初期化する処理である。
【００２７】
図５のＳ４０に示すように、ＣＰＵ１の初期設定が行われる。次いで、ポート設定、昇圧回路ＯＮ設定、ＲＡＭ３の初期設定が行われる（Ｓ４２、Ｓ４４、Ｓ４６）。次いで、ＥＥＰＲＯＭ１４の所定のデータがＲＡＭ３に展開され（Ｓ４８）、ＥＥＰＲＯＭ１４のデータに異常があるか否かが判定される（Ｓ５０）。
その際、異常なデータについては所定の値に丸め込まれる。
【００２８】
次いで、フイルムカウンタ状態チェックが行われ（Ｓ５２）、その後、Ｓ５４において、初期バルブ閉処理が行われる。初期バルブ閉処理は、カメラのレンズ鏡胴に内蔵されるシャッタを閉じる処理である。なお、フイルムカウンタ状態チェックには、フイルムカウント表示が含まれる。そして、Ｓ５６の初期ＳＭ閉処理が行われる。初期ＳＭ閉処理は、レンズ鏡胴が出ていた場合、当該レンズ鏡胴をカメラ本体に繰り込み、バリアを閉じる処理である。次いで、Ｓ５８において、給送継続処理が行われる。給送継続処理は、電池が抜かれる前に給送を行っていた場合に、給送を継続させる処理である。そして、Ｓ６０の電波受信処理に移行し、初期処理を終了する。電波受信処理については後述する。
【００２９】
なお、以上に示す初期処理において、Ｓ４０〜Ｓ５０は、マイコンの初期設定に該当し、Ｓ５２〜Ｓ５８は、カメラ状態の初期設定に該当する。
【００３０】
図６は、本実施形態に係るカメラの電波受信処理及び手動受信処理を示すフローチャートである。同図において、電波受信処理は、電池装填時や定刻に自動で受信が開始され、その後Ｓ９０のバッテリチェック処理（以下、「ＢＣ処理」とする）を行う。バッテリチェック処理とは、バッテリの電圧チェックを行う処理である。一方、手動受信処理の場合は、手動受信スイッチをＯＮに入れると、ブザー６によるスタート音の発生やＬＥＤ７による点灯などが行われ（Ｓ９２）、その後Ｓ９０のＢＣ処理に移行する。Ｓ９０のＢＣ処理の後は、Ｓ９４に移行し、バッテリチェックがＮＧであるか否かが判定される。バッテリチェックがＮＧであるときには、標準電波の受信を行うことができないと判断し、Ｓ１２０に移行する。一方、バッテリチェックがＯＫであると判定されたときには、Ｓ９６に移行し、ＲＡＭ３やＥＥＰＲＯＭ１４におけるパラメータ設定がＯＫであるか否かが判定される。パラメータ設定がＮＧと判定されたときには、Ｓ１２８に移行する。
【００３１】
一方、パラメータ設定がＯＫと判定されたときには、受信回路電源がＯＮにされ（Ｓ９８）、ＬＣＤ５に受信中を示すマークが点灯される（Ｓ１００）。そして、標準電波を受信して標準電波受信処理を行い（Ｓ１０２）、受信が終わったときは、ＬＣＤ５の受信中を示すマークが消灯され（Ｓ１０４）、受信回路電源がＯＦＦにされる（Ｓ１０６）。その後、時計修正処理が行われ（Ｓ１０８）、標準電波の受信がＯＫであるか否か、即ち、標準電波の受信が正常に行われたか否かが判定される（Ｓ１１０）。標準電波の受信がＮＧと判定されたときは、Ｓ１２８に移行する。
【００３２】
一方、標準電波の受信がＯＫと判定されたときは、ＬＣＤ５に受信ＯＫを示すマークが点灯され（Ｓ１１２）、時刻の表示を行う（Ｓ１１４）。その後、手動によって受信が行われたか否かを判定し（Ｓ１１６）、手動であった場合は、ブザー６によるＯＫ音の発生やＬＥＤ７による点灯などによってＯＫが示され（Ｓ１１８）、電波受信処理を終了する。一方、手動による受信ではなかった場合は、ブザー６による音を発することなく電波受信処理を終了する。
【００３３】
Ｓ９４において、バッテリチェックがＮＧであると判定されたときは、Ｓ１２０に移行し、電池マークの点滅が開始される。その後、時刻の表示を行い（Ｓ１２２）、手動によって受信が行われたか否かを判定し（Ｓ１２４）、手動であった場合は、カメラ内の警告手段によって、ブザー６によるＮＧ音の発生やＬＥＤ７による点灯などにおいてＮＧ（警告）が示され（Ｓ１２６）、電波受信処理を終了する。これにより、バッテリが無いなどのエラーが発生して受信を行うことができなかったことをユーザーに知らせることができるため、原因の解決を容易にすることができる。一方、手動による受信ではなかった場合は、ブザー６による音を発することなく電波受信処理を終了する。
【００３４】
また、Ｓ１１０において、標準電波の受信がＮＧと判定されたときは、ＬＣＤ５に受信ＮＧを示すマークが点灯される（Ｓ１２８）。その後、時刻の表示を行い（Ｓ１３０）、手動によって受信が行われたか否かを判定し（Ｓ１３２）、手動であった場合は、カメラ内の警告手段によって、ブザー６によるＮＧ音の発生やＬＥＤ７による点灯などにおいてＮＧ（警告）が示され（Ｓ１３４）、電波受信処理を終了する。この場合、標準電波が正常に受信されず、データを正しく取得できなかったことをユーザーに知らせることができ、原因の解決を容易にすることができる。一方、手動による受信ではなかった場合は、ブザー６による音を発することなく電波受信処理を終了する。
【００３５】
以上のような本実施形態に係るカメラの警告は、ＬＥＤ等による表示およびブザー等の音の少なくとも一方によって行われるのが好ましく、場合によって、表示および音による警告が選択的に行われるのがより好ましい。これにより、標準電波の受信に関してエラーが発生したことを、ユーザーにより確実に知らせることができる。
【００３６】
本実施形態に係るカメラでは、手動により強制的に受信した場合に警告を行うようにしているが、自動で受信した場合においても警告を行うのが好ましい。更に、この場合、警告手段は、標準電波の自動受信の際に警告する場合において、所定の時刻では表示のみによって警告するのが望ましく、これにより、例えば、ユーザーが就寝している深夜などにおいて自動で標準電波の受信が行われ、エラーが発生した場合であっても、表示のみの警告を行うことにより、ユーザーの睡眠を妨げるといった不都合を防止することができる。
【００３７】
以上のように本実施形態に係るカメラによれば、受信手段が標準電波を受信する際に、カメラにエラーが発生して受信を行うことができなかったり、受信できても正常に行われず標準電波のデータを正しく取得できなかったりした場合は、カメラ内の警告手段によって警告が行われる。これにより、ユーザーは、標準電波の受信に際しエラーが発生したことを確実に知ることができると共に、時刻や日付が修正されたか否かを毎回の受信について認識することができる。
【００３８】
図７に、本実施形態に係るカメラの標準電波受信処理のフローチャートを示す。まず始めに、オーバータイム検出タイマがスタートされる（Ｓ１４０）。オーバータイム検出タイマは、標準電波を受信した際、データの検出時間が所定の時間を超過（オーバータイム）しているか否かを検出するものである。
【００３９】
そして、標準電波のデータにおける００秒のマーカーの検出を開始し（Ｓ１４２）、オーバータイムであるか否か判定される（Ｓ１４４）。オーバーしていると判定されたときは、受信ＮＧとなり（Ｓ１８０）、標準電波受信処理を終了する。一方、オーバーしていないと判定されたときは、Ｓ１４６へ移行し、００秒マーカーの検出がＯＫであるか否か判定される。００秒マーカーの検出がＮＧと判定されたときは、Ｓ１４２へ移行する。
【００４０】
一方、ＯＫと判定されたときは、Ｓ１４８へ移行し、分データの検出を開始し、オーバータイムであるか否か判定される（Ｓ１５０）。オーバーしていると判定されたときは、受信ＮＧとなり（Ｓ１８０）、標準電波受信処理を終了する。
一方、オーバーしていないと判定されたときは、Ｓ１５２へ移行し、時データの検出を開始する。そして、オーバータイムであるか否か判定される（Ｓ１５４）。
【００４１】
その後、通算日、年について上記と同様にそれぞれデータ検出（Ｓ１５６、Ｓ１６０）し、オーバータイムであるか否か判定される（Ｓ１５８、Ｓ１６２）。
この場合も、検出に要した時間が所定の時間よりオーバーしていると判定されたときは、受信ＮＧとなり（Ｓ１８０）、標準電波受信処理を終了する。
【００４２】
Ｓ１６２において、オーバータイムではないと判定されたときは、分データの検出がＯＫであるか否かが判定される（Ｓ１６４）。分データの検出がＮＧと判定されたときは、Ｓ１４２へ移行する。分データの検出がＯＫと判定されたときは、Ｓ１６６へ移行し、時データの検出がＯＫであるか否かが判定される（Ｓ１６４）。以下、同様にして通算日、年のそれぞれについてデータの検出がＯＫであるか否かが判定され（Ｓ１６８、Ｓ１７０）、Ｓ１７０において、年データの検出がＯＫと判定されたときは、受信ＯＫとなり（Ｓ１７８）、標準電波受信処理を終了する。
【００４３】
なお、曜日も確定する場合は、上記標準電波受信処理に曜日データを検出するステップを追加してもよいし、通算日データと年データとから所定の演算方法により求めるようにしてもよい。
【００４４】
図８は、本実施形態に係るカメラの時計修正処理（時計修正手段）を示すフローチャートである。同図に示すように、まず、標準電波から検出された分データにエラーがあるか否かが判定される。エラーが発生しているときはＮＧと判定されＳ１９８へ移行する。エラーがなくＯＫと判定されたときは、Ｓ１９２へ移行し、時データにエラーがあるか否かが判定される。時データにエラーが発生しておりＮＧと判定されたときは、Ｓ１９８へ移行する。時データにエラーがなくＯＫと判定されたときは、時計のカウントアップを停止し（Ｓ１９４）、新たな時および分に更新する（Ｓ１９６）。
【００４５】
次いで、通算日データにエラーがあるか否かが判定される（Ｓ１９８）。通算日データにエラーがありＮＧと判定されたときは、Ｓ２０６に移行する。一方、ＯＫと判定されたときは、Ｓ２００に移行し、年データがＯＫであるか否かが判定される。年データがＮＧであると判定されたときは、Ｓ２０６へ移行する。ＯＫと判定されたときは、通算日データと年データとから月日を換算し（Ｓ２０２）新たな年、月、日に更新する（Ｓ２０４）。その後、時計のカウントアップを再開し（Ｓ２０６）、時計修正処理を終了する。
【００４６】
以上のように、本実施形態に係るカメラの時計修正処理は、標準電波が正常に受信されず、分データおよび時データが検出されない場合であっても、通算日データおよび年データを検出したときは、日付のみの修正を行う。このため、日付を修正する確率が高くなるため、時計処理による日付がずれる可能性を低下させることができる。また、通算日データおよび年データだけの検出でも修正するようにすることで、その分、受信回路のコストダウンや、受信アンテナの小型化を図ることができる。
【００４７】
図９は、本実施形態に係るカメラの時計処理を示すフローチャートである。同図において、まず、デート修正モードになっているか否かを判定し（Ｓ２０８）、デート修正モードになっているときは、Ｓ２１６へ移行する。デート修正モードになっていないときは、秒データが６０秒より大きいか否かを判定し
（Ｓ２１０）、小さければＳ２１６に移行する。秒データが６０秒を超えているときは、その値から６０を引いた値を新たな秒データとし（Ｓ２１２）、次いで、時計カウントアップ処理を行い、分、時、日、月、年を修正する（Ｓ２１４）。なお、本実施形態のカメラは、曜日表示機能を備えていないが、曜日表示機能を備えた場合は、この時計カウントアップ処理において曜日の修正を行う。
【００４８】
次いで、標準電波の受信中であるか否かを判定し（Ｓ２１６）、受信中であるときは、時計処理を終了する。受信中でないときは、修正されたデートの表示を行う（Ｓ２１８）。次に、日付変更時の所定時間前にあたる第１自動受信時刻であるか否かを判定し（Ｓ２２０）、第１自動受信時刻であるときは電波受信処理を行う。第１自動受信時刻でないときは、日付変更時の所定時間後にあたる第２自動受信時刻であるか否かを判定する（Ｓ２２２）。第２自動受信時刻であるときは、電波受信処理を行い、第２自動受信時刻でないときは、時計処理を終了する。
【００４９】
次に、本実施形態に係るカメラにおけるＬＣＤ表示について説明する。
【００５０】
図１０は、本実施形態に係るカメラにおけるＬＣＤの全表示の一例を示す図である。同図において、ＬＣＤ５は表示領域５０を有し、この表示領域５０内において、受信中表示５２、正常受信表示５４、非正常受信表示５６が表示されるようになっている。例えば、受信中表示５２は「受信中」の文字により構成され、正常受信表示５４は「受信ＯＫ」の文字により構成され、非正常受信表示５６は「受信ＮＧ」の文字により構成される。また、表示領域５０内には、年、月、日、時、分、秒に関する日付表示５８、電池マーク表示６０などが設けられている。尚、受信中表示５２、正常受信表示５４、非正常受信表示５６の表示は、上記のような文字に限らず、アンテナマーク等の絵柄による表示であってもよい。
【００５１】
図１１は、カメラが電波受信中のときのＬＣＤ表示の一例を示す図である。同図に示すように、表示領域５０には、「受信中」文字５２と電池マーク表示６０とが点灯される。このとき、電波受信中であることから、表示５８にはハイフン「−」が表示される。
【００５２】
図１２は、カメラが電波を受信し、時計修正が行われたときのＬＣＤ表示の一例を示す図である。同図に示すように、表示領域５０には、「受信ＯＫ」文字５４と電池マーク表示６０とが点灯される。表示５８には、修正された時刻、日付が表示される。同図は、修正した時刻の表示の一例である。なお、分、時に関するデータを取得できず時刻が確定できない場合であっても、通算日および年のデータを取得したときは、表示５８において日付だけ修正したデータ表示となる。
【００５３】
図１３は、カメラが電波を受信し、時計修正を行うことができなかったときのＬＣＤ表示の一例を示す図である。同図に示すように、表示領域５０には、「受信ＮＧ」文字５６と電池マーク表示６０とが点灯され、表示５８には修正できなかったデータが表示される。なお、同図は、電池装填後から１回目の受信で時計修正できなかったときの表示を示しており、日付の初期値（２００２年１月１日）が表示されている。
【００５４】
図１４は、手動で時計修正を行った後に電波を受信した場合において、標準電波を正常に受信できなかったときのＬＣＤ表示の一例を示す図である。電波受信前に手動で時計修正を行った場合、電波受信中も時計のカウントアップを継続し、電波が正常に受信できなかったときは、表示領域５０において「受信ＮＧ」文字５６が点灯され、表示５８には、上記カウントアップされた時刻や日付が表示される。
【００５５】
図１５は、バッテリチェックがＮＧであるときのＬＣＤ表示の一例を示す図である。電波受信開始時のバッテリチェックにおいてＮＧである場合、同図に示すように、表示領域５０では、「受信ＮＧ」文字５６の点灯と、電池マーク表示６０の点滅が行われ、バッテリの電圧がＮＧであることを示し、表示５８においては現時点での時計カウント値が表示される。
【００５６】
次に、ＬＣＤ表示の流れの一例として、電池装填時に標準電波の受信を行った場合について図１６〜１９を参照して説明する。
【００５７】
図１６は、時刻および日付が確定した場合のＬＣＤ表示の流れの一例を示す図である。標準電波の受信中は、図１６（ａ）に示すように、「受信中」文字５２および電池マーク表示６０の点灯と、ハイフン「−」（表示５８）の表示がされる。そして、受信が終了すると、図１６（ｂ）に示すように、「受信中」文字５２が消灯し、「表示ＯＫ」文字５４が点灯され、表示５８には確定した日付が表示される。この状態で、カメラに設けられた画面切り替え用スイッチであるデートスイッチを押すと、図１６（ｃ）に示すように表示５８は日付表示から時刻表示に切り替わる。更に、この状態でデートスイッチを押すと、図１６（ｄ）に示すように表示５８にはデート写し込み無しモードを示すハイフン「−」が表示される。このとき「受信ＯＫ」文字５４は消灯している。この状態で、また更にデートスイッチを押すと、再び図１６（ｂ）に示す表示に切り替わり、デートスイッチを押す毎に、図１６（ｂ）から図１６（ｄ）の表示が繰り返されるようになっている。
【００５８】
図１７は、日付のみが確定した場合のＬＣＤ表示の流れの一例を示す図である。標準電波の受信中は、図１６（ａ）と同様の表示がされ（図１７（ａ））、受信が終了すると、図１７（ｂ）に示すように確定した日付が表示５８に表示される。この状態で、デートスイッチを押すと、図１７（ｃ）に示すように表示５８は日付表示から時刻表示に切り替わる。このとき、時刻は確定していないので、表示５８には、時刻の初期値である「午前０時０分０秒」からカウントされた時刻が表示される。更に、この状態でデートスイッチを押すと、図１７（ｄ）に示すように表示５８にはデート写し込み無しモードを示すハイフン「−」が表示される。また、この場合においても、上記と同様にデートスイッチを押す毎に、図１７（ｂ）から図１７（ｄ）の表示が繰り返されるようになっている。
【００５９】
図１８は、時刻のみが確定した場合のＬＣＤ表示の流れの一例を示す図である。標準電波の受信中は上記と同様の表示がされ（図１８（ａ））、受信の終了後は、日付が確定していないため、日付の初期値である「２００２年１月１日」からカウントされた日付が表示５８に表示される（図１８（ｂ））。この場合も上記と同様に、デートスイッチを押す毎に、図１８（ｂ）〜図１８（ｄ）の表示が繰り返されるようになっている。
【００６０】
図１９は、時刻と日付が共に未確定の場合のＬＣＤ表示の流れの一例を示す図である。同図において、受信終了後は、日付、時刻共に初期値からカウントされた表示がされ、上記と同様にデートスイッチを押す毎に、図１９（ｂ）〜図１９（ｄ）の表示が繰り返されるようになっている。
【００６１】
次に、ブザーによる音の発生およびＬＥＤによる点灯のパターンについて説明する。
【００６２】
図２０は、ブザーによる音の発生パターンを示す図である。図２０（ａ）は、スタート音を発生したときを示している。図に示すように、スタート音は、１２５ミリ秒間の短音が１回発生される。図２０（ｂ）は、ＯＫ音を発生したときを示しており、この場合、５００ミリ秒間の長音が１回発生される。図２０（ｃ）は、ＮＧ音を発生したときを示しており、この場合には、１２５ミリ秒間の短音が１２５ミリ秒間隔で４回発生される。なお、ブザー音としては、例えば、図２０（ｄ）に示すように４ｋＨｚの周波数の音が用いられる。
【００６３】
図２１は、ＬＥＤによる点灯パターンを示す図である。図２１（ａ）は、スタート時を示しており、この場合、１２５ミリ秒間の短い点灯が１回行われる。図２１（ｂ）は、受信ＯＫ時を示しており、この場合には、５００ミリ秒間の長い点灯が１回行われる。図２１（ｃ）は、受信ＮＧ時を示しており、１２５ミリ秒間の短い点灯が１２５ミリ秒間隔で４回点滅される。
【００６４】
上記第１の実施形態では、本発明に係る電波時計装置を適用したカメラ本体によって標準電波の受信を行うが、カメラに付属した遠隔操作用のリモコンに本発明に係る電波時計装置を適用してもよく、当該リモコンに受信アンテナを設けて標準電波を受信するようにしてもよい。その場合を本発明の第２の実施形態として以下に詳述する。
【００６５】
図２２は、本発明の第２の実施形態に係る電波時計装置を内蔵したリモコンの電気的構成を示すブロック図である。同図に示すように、リモコンには、リモコン全体の制御を行うＣＰＵ３０が設けられている。このＣＰＵ３０においても、制御・演算処理のためのプログラムを予め記憶しているＲＯＭ３１、及び制御・演算の際に各種データを記憶するＲＡＭ３２が内蔵されている。
【００６６】
また、ＣＰＵ３０には、電源回路３３、ＬＣＤ３４、ブザー（アラーム）３５、リモコン送信回路３６、標準電波受信回路３７、ＥＥＰＲＯＭ３８、スイッチ群３９が接続されている。更に、リモコンには受信アンテナ４０が設けられている。これらの各内容については、上記のカメラの場合と同様であるため、その説明は省略する。なお、この場合、カメラ本体に受信アンテナ２０がなくてもよく、リモコンが取得したデータをカメラに送信することで、カメラの時計情報を修正することができる。
【００６７】
図２３はリモコンの場合の基本的な制御処理の概略フローチャートを示す。なお、各処理の内容は、上記のカメラの場合と同様である。まず、同図のＳ３０に示すように、電池装填により初期処理が行われる。次に、Ｓ３２に移行し、時計処理が行われる。そして、Ｓ３４に移行し、分岐チェック処理及び分岐処理が行われる。次いで、Ｓ３６に移行し、各スイッチ処理が行われる。その後、Ｓ３８に移行し、スタンバイ処理が行われる。そして、Ｓ３８のスタンバイ処理の終了後、Ｓ３２に戻る。なお、時計処理は、スタンバイ処理の中でも行われる。
【００６８】
図２４はリモコンの場合における初期処理を示すフローチャートである。同図において、各処理の内容は、上記のカメラの場合と同様である。
【００６９】
同図において、Ｓ７０に示すように、ＣＰＵ１の初期設定が行われる。次いで、ポート設定、昇圧回路ＯＮ設定、ＲＡＭ３の初期設定が行われる（Ｓ７２、Ｓ７４、Ｓ７６）。次いで、ＥＥＰＲＯＭ１４の所定のデータがＲＡＭ３に展開され（Ｓ７８）、ＥＥＰＲＯＭ１４のデータに異常があるか否かが判定される（Ｓ８０）。そして、Ｓ８２の電波受信処理に移行し、初期処理を終了する。
【００７０】
図２５〜図３０に、カメラのリモコンの場合のＬＣＤ表示の一例を示す。図２５は、リモコンのＬＣＤの全表示の一例、図２６は、電波受信中のときのＬＣＤ表示の一例、図２７は、電波を受信し、時計修正が行われたときのＬＣＤ表示の一例、図２８は、電波を受信し、時計修正を行うことができなかったときのＬＣＤ表示の一例、図２９は、手動で時計修正を行った後に電波を受信した場合において、標準電波を正常に受信できなかったときのＬＣＤ表示の一例、図３０は、バッテリチェックがＮＧであるときのＬＣＤ表示の一例をそれぞれ示す図である。これらの図におけるＬＣＤ３４の表示領域６２に表示される内容については、上記のカメラの場合と同様であるためその説明は省略する。
【００７１】
次に、カメラのリモコンにおけるＬＣＤ表示の流れの一例として、電池装填時に標準電波の受信を行った場合について図３１〜３４を参照して説明する。
【００７２】
図３１は、時刻および日付が確定した場合のＬＣＤ表示の流れの一例を示す図である。同図において、標準電波の受信中は、図３１（ａ）に示すように、「受信中」文字５２および電池マーク表示６０の点灯と、ハイフン「−」（表示５８）の表示がされる。そして、受信が終了すると、図３１（ｂ）に示すように、「受信中」文字５２が消灯し、「表示ＯＫ」文字５４が点灯され、表示５８には確定した日付が表示される。この状態で、カメラに設けられた画面切り替え用スイッチであるデートスイッチを押すと、図３１（ｃ）に示すように表示５８は日付表示から時刻表示に切り替わる。この状態で、再びデートスイッチを押すと、図３１（ｂ）に示す表示に切り替わり、デートスイッチを押す毎に、図３１（ｂ）および図３１（ｃ）の表示が繰り返されるようになっている。
【００７３】
図３２〜３４は、日付のみ確定した場合、時刻のみ確定した場合、時刻および日付が共に未確定の場合をそれぞれ示しているが、それらの表示内容は、デート写し込み無しモードの表示がされない点以外は、図１７〜１９に示すカメラの場合と同様であるため、説明を省略する。
【００７４】
以上、本発明の実施形態を添付図面に基づき説明したが、本発明は上記実施形態に限定されるものではない。例えば、上記の実施形態では、バッテリチェックＮＧの場合や、ＲＡＭ及びＥＥＰＲＯＭ内の受信に必要な各種パラメータに適切な値が入っておらず受信できない場合に警告が行われるが、電波が弱すぎる環境下において全く信号を受信できないために正しいデータを取得できない場合等において警告を行うようにしてもよい。また、上記実施形態では、表示による警告を行う場合を深夜等に予め設定しているが、ユーザーの意志によって、例えば会議中や電車の中などの音が出ると不都合な場合においては、表示による警告のみを行うように切り替えられるようにしてももちろんよい。
【００７５】
また、本発明に係る電波時計装置は、上記の実施形態ではカメラおよびカメラのリモコンに適用されているが、もちろんこれらに限定されるものではなく、他にも、時計機能のみを有する腕時計や置き時計等の時計類や、時計機能を有する家電製品やカー用品等、あらゆるものに適用可能である。
【００７６】
【発明の効果】
本発明によれば、標準電波の受信に際して、エラー発生時には警告を行うため、受信に際しエラーが発生したことをユーザーが確実に知ることができると共に、時刻や日付が修正されたか否かを毎回の受信について認識することができる。
【図面の簡単な説明】
【図１】本発明の第１の実施形態に係る電波時計装置を適用したカメラの電気的構成を示すブロック図である。
【図２】正常時の標準電波を受信回路で受信したときの出力波形を示す図である。
【図３】図２における標準電波のデータのエラー発生時を示す図である。
【図４】図１におけるカメラの基本的な制御処理の概略フローチャートである。
【図５】図１におけるカメラの初期処理のフローチャートである。
【図６】図１におけるカメラの電波受信処理および手動受信処理を示すフローチャートである。
【図７】図１におけるカメラの標準電波受信処理を示すフローチャートである。
【図８】図１におけるカメラの時計修正処理を示すフローチャートである。
【図９】図１におけるカメラの時計処理を示すフローチャートである。
【図１０】図１におけるカメラのＬＣＤ表示の一例を示す図である。
【図１１】図１におけるカメラのＬＣＤ表示の一例を示す図である。
【図１２】図１におけるカメラのＬＣＤ表示の一例を示す図である。
【図１３】図１におけるカメラのＬＣＤ表示の一例を示す図である。
【図１４】図１におけるカメラのＬＣＤ表示の一例を示す図である。
【図１５】図１におけるカメラのＬＣＤ表示の一例を示す図である。
【図１６】図１におけるカメラのＬＣＤ表示の流れの一例を示す図である。
【図１７】図１におけるカメラのＬＣＤ表示の流れの一例を示す図である。
【図１８】図１におけるカメラのＬＣＤ表示の流れの一例を示す図である。
【図１９】図１におけるカメラのＬＣＤ表示の流れの一例を示す図である。
【図２０】図１におけるカメラのブザーによる音の発生パターンを示す図である。
【図２１】図１におけるカメラのＬＥＤによる点灯パターンを示す図である。
【図２２】本発明の第２の実施形態に係る電波時計装置を内蔵したリモコンの電気的構成を示すブロック図である。
【図２３】図２２におけるリモコンの基本的な制御処理の概略フローチャートである。
【図２４】図２２におけるリモコンの初期処理のフローチャートである。
【図２５】図２２におけるリモコンのＬＣＤ表示の一例を示す図である。
【図２６】図２２におけるリモコンのＬＣＤ表示の一例を示す図である。
【図２７】図２２におけるリモコンのＬＣＤ表示の一例を示す図である。
【図２８】図２２におけるリモコンのＬＣＤ表示の一例を示す図である。
【図２９】図２２におけるリモコンのＬＣＤ表示の一例を示す図である。
【図３０】図２２におけるリモコンのＬＣＤ表示の一例を示す図である。
【図３１】図２２におけるリモコンのＬＣＤ表示の流れの一例を示す図である。
【図３２】図２２におけるリモコンのＬＣＤ表示の流れの一例を示す図である。
【図３３】図２２におけるリモコンのＬＣＤ表示の流れの一例を示す図である。
【図３４】図２２におけるリモコンのＬＣＤ表示の流れの一例を示す図である。
【符号の説明】
４…電源回路、６…ブザー、９…リモコン受信回路、１０…ストロボ回路、１１…測光回路、１３…標準電波受信回路、１５…スイッチ群、１６…モータドライバ、１７…鏡胴駆動部、１８…フィルム給送部、１９…シャッタ駆動部、２０…受信アンテナ、３３…電源回路、３６…リモコン送信回路、３７…標準電波受信回路、３９…スイッチ群、４０…受信アンテナ。
【図１】
2004037206.tif 000003
【図２】
2004037206.tif 000004
【図３】
2004037206.tif 000005
【図４】
2004037206.tif 000006
【図５】
2004037206.tif 000007
【図６】
2004037206.tif 000008
【図７】
2004037206.tif 000009
【図８】
2004037206.tif 000010
【図９】
2004037206.tif 000011
【図１０】
2004037206.tif 000012
【図１１】
2004037206.tif 000013
【図１２】
2004037206.tif 000014
【図１３】
2004037206.tif 000015
【図１４】
2004037206.tif 000016
【図１５】
2004037206.tif 000017
【図１６】
2004037206.tif 000018
【図１７】
2004037206.tif 000019
【図１８】
2004037206.tif 000020
【図１９】
2004037206.tif 000021
【図２０】
2004037206.tif 000022
【図２１】
2004037206.tif 000023
【図２２】
2004037206.tif 000024
【図２３】
2004037206.tif 000025
【図２４】
2004037206.tif 000026
【図２５】
2004037206.tif 000027
【図２６】
2004037206.tif 000028
【図２７】
2004037206.tif 000029
【図２８】
2004037206.tif 000030
【図２９】
2004037206.tif 000031
【図３０】
2004037206.tif 000032
【図３１】
2004037206.tif 000033
【図３２】
2004037206.tif 000034
【図３３】
2004037206.tif 000035
【図３４】
2004037206.tif 000036